(57)【要約】【課題】  把手などを設けることなく手操作によって簡単且つ確実に開閉が行える折り戸を提供する。【解決手段】  回動側戸パネル２と移動側戸パネル３とを屈折自在に連結してなる折り戸Ａにおいて、回動側戸パネル２の上端部における裏面中央部に、ラッチアーム11を起伏自在に設けている折り戸開閉装置10を装着してあり、この開閉装置10は、折り戸Ａを設けている戸枠１の上枠部1a側に上記ラッチアーム11の先端を押し付けた際に、スプリング15の力に抗して該ラッチアーム11が伏動して戸パネルの閉止位置でロックし、この状態からさらに押圧することによってロックが解除され、上記スプリング15の復元力によって起立して戸枠１を解放させるように構成している。【選択図】    図１
2011162994.tif 000002
【特許請求の範囲】
【請求項１】
戸枠の一側端部に外側端部を回動自在に枢着している回動側戸パネルと、この回動側戸パネルの内側端部にその内側端部をヒンジによって折り畳み自在に連結し、且つ、外側端部を戸枠の上下枠部に沿って移動させるように構成している移動側戸パネルとからなる折り戸であって、上記回動側戸パネルの上端部裏面又は下端部裏面とこの回動側戸パネルに対向する戸枠の上枠部又は下枠部とのいずれかに、この回動側戸パネル側又は枠部側に押当した際にスプリング力に抗して伏動して戸パネルの閉止位置でロックし、この状態からさらに押圧することによりロックが解除されてスプリング力により起立して戸パネルを開放させるラッチアームを有する開閉装置を装着していることを特徴とする折り戸。
【請求項２】
開閉装置を、そのラッチアームの長さ方向を回動側戸パネルの幅方向に向け、かつ、ラッチアームの先端が回動側戸パネルの横幅方向の中央部に位置するように回動側戸パネル側又は戸枠側に装着されていることを特徴とする請求項１に記載の折り戸。
【請求項３】
開閉装置の取付基板の一半部上に互いに平行な両側壁板を立設してこれらの両側壁板間内にロック機構を設けていると共に両側壁板の一端部間にラッチアームの基端部を支軸によって回動自在に装着してあり、このラッチアームの先端に転子を回転自在に装着していると共にラッチアームの先端部と上記取付基板の他半部との間にラッチアームを起立させる方向に弾圧しているコイルスプリングを取り付けていることを特徴とする請求項１又は請求項２に記載の折り戸。
【請求項４】
開閉装置を戸枠の上枠部と対向した回動側戸パネルの裏面上端部における幅方向の中央部に装着している一方、上記戸枠の上枠部の一側部における背面側下面に開閉装置のラッチアームの先端を受止する幕板部材を取り付けていることを特徴とする請求項１、請求項２又は請求項３に記載の折り戸。
【発明の詳細な説明】
【技術分野】
【０００１】
本発明は、クローゼットや押入れ等の開口部を開閉する折り戸に関するものである。
【背景技術】
【０００２】
折り戸は、クローゼット等の物品収納室の開口間口を大きくとれると共に開閉時には大きなスペースをとらないといった利点を有しているため従来から広く採用されており、例えば、特許文献１に記載されているように、左右一対の扉パネルの対向する内側端部同士を屈折自在に連結していると共に、一方の扉パネルの外側端部を開口部を有する戸枠の一端部に回動自在に枢着することにより該扉パネルを回動側扉パネルとし、他方の扉パネルの外側端部を戸枠の上下枠に設けているレールに沿って移動可能に取り付けることにより該扉パネルを移動側扉パネルとして、これらの扉パネルの対向する内側端部に設けている把手部に手を引っ掛けて手前に引き寄せることにより、戸枠の一端部を支点としてこれらの扉パネルを二つ折り状態に折り畳み可能に構成している。
【０００３】
さらに、この折り戸には、扉パネルの対向する内側端部同士を屈折自在に連結している部分の上端部にラッチ装置を装着してあり、ラッチを戸枠における上枠の下面に設けている係止溝に係止させることによって扉パネルを閉止状態に保持し、係止を解除することによって扉パネルを解放可能に構成している。
【０００４】
このように構成した折り戸は手動によって開閉するものであるが、電動によって開閉する折り戸も知られており、例えば、特許文献２においては、回動側パネルと移動側パネルとをヒンジによって折り畳み自在に連結してなる折り戸において、回動側パネルの回動軸を戸枠に配設しているモータ等の回転駆動装置により往復回動させることによって開閉させるように構成した折り戸が記載されている。
【先行技術文献】
【特許文献】
【０００５】
【特許文献１】実開昭６１−５９７８５号公報
【特許文献２】実開平４−７９１８８号公報
【発明の概要】
【発明が解決しようとする課題】
【０００６】
しかしながら上記特許文献１に記載の折り戸においては、この折り戸を開くには、まず戸枠に対する折り戸のラッチによる係止を解除したのち、把手に手を引っ掛けて手前に引き寄せる操作を必要とし、そのため、手に荷物を持っていたり、或いは指先に不自由のある人ではその操作が困難であり、また、把手を設けると折り戸全体の外観を損する虞れがあると共に製作費用もコスト高になるといった問題点がある。
【０００７】
一方、特許文献２によれば、折り戸を自動的に開閉させることができるので、把手も不要で、且つ、開閉操作も容易であるが、電動折り戸は極めて高価につくと共に定期的なメンテナンスも必要となり、また、折り戸に回転駆動装置を組み込むスペースを設けなければならず、この回転駆動装置に設置によって外観を損するといった問題点がある。
【０００８】
本発明はこのような問題点に鑑みてなされたもので、その目的とするところは、把手などを必要とすることなく手操作によって開閉が簡単且つ確実に行えると共に、構造が簡単で意匠性においても優れた折り戸を提供するにある。
【課題を解決するための手段】
【０００９】
上記目的を達成するために本発明の折り戸は、請求項１に記載したように、戸枠の一側端部に外側端部を回動自在に枢着している回動側戸パネルと、この回動側戸パネルの内側端部にその内側端部をヒンジによって折り畳み自在に連結し、且つ、外側端部を戸枠の上下枠部に沿って移動させるように構成している移動側戸パネルとからなる折り戸であって、上記回動側戸パネルの上端部裏面又は下端部裏面とこの回動側戸パネルに対向する戸枠の上枠部又は下枠部とのいずれかに、この回動側戸パネル側又は枠部側に押当した際にスプリング力に抗して伏動して戸パネルの閉止位置でロックし、この状態からさらに押圧することによりロックが解除されてスプリング力により起立して戸パネルを開放させるラッチアームを有する開閉装置を装着していることを特徴とする。
【００１０】
このように構成した折り戸において、請求項２に係る発明は、開閉装置を、そのラッチアームの長さ方向を回動側戸パネルの幅方向に向け、かつ、ラッチアームの先端が回動側戸パネルの横幅方向の中央部に位置するように回動側戸パネル側又は戸枠側に装着されていることを特徴とする。
【００１１】
さらに、請求項３に係る発明は、開閉装置の取付基板の一半部上に互いに平行な両側壁板を立設してこれらの両側壁板間内にロック機構を設けていると共に両側壁板の一端部間にラッチアームの基端部を支軸によって回動自在に枢着してあり、このラッチアームの先端に転子を回転自在に装着していると共にラッチアームの先端部と上記取付基板の他半部との間にラッチアームを起立させる方向に弾圧しているコイルスプリングを取り付けていることを特徴とする。
【００１２】
また、請求項４に係る発明は、開閉装置を戸枠の上枠部と対向した回動側戸パネルの裏面上端部における幅方向の中央部に装着している一方、上記戸枠の上枠部の一側部における背面側下面に開閉装置のラッチアームの先端を受止する幕板部材を取り付けていることを特徴とする。
【発明の効果】
【００１３】
本発明の請求項１に係る発明によれば、折り戸における回動側戸パネルの上端部裏面又は下端部裏面とこの回動側戸パネルに対向する戸枠の上枠部又は下枠部とのいずれかに、この回動側戸パネル側又は枠部側に押当した際にスプリング力に抗して伏動して戸パネルの閉止位置でロックし、この状態からさらに押圧することによりロックが解除されてスプリング力により起立して戸パネルを開放させるラッチアームを有する開閉装置を装着しているので、回動側戸パネルの表面適所を裏面側に向かって軽く押圧するだけで、開閉装置のラッチアームをスプリング力により起立方向に回動させて回動側戸パネルを自動的に表面側に押し開かせることができると共にこの回動側戸パネルの開放に伴って移動側戸パネルを回動側戸パネル側に移動させて平面く字状に屈折させながら折り戸を開くことができ、また、この状態から折り戸の表面を押圧して閉止させる方向に作動させれば、ラッチアームがスプリング力に抗して伏動して折り戸が完全に閉止した際にロックし、折り戸を閉止状態に保持することができる。
【００１４】
従って、戸パネルに把手などを設けることなく、荷物を持っていたり指先に不自由のある人でも簡単且つ確実に折り戸の開閉操作を行うことができ、また、把手などを無くして外観を簡素化することができ、意匠的にも優れた折り戸を安価に提供することができる。  
【００１５】
その上、ラッチアームが伏した状態においては該ラッチアームの長さ方向が回動側戸パネルの裏面に平行に向けた状態となってこのラッチアームを備えている折り戸開閉装置全体の高さを低くすることができ、そのため、比較的狭隘なスペース内であっても配設することができるのは勿論、ラッチアームを起立させた際のこのラッチアームの先端の高さ位置を伏した状態における上記装置全体の高さの倍以上の高さ位置まで起立させることができ、従来の長さ方向に出没するプッシュラッチの突出高さよりもはるかに大きく突出させることができて折り戸の最適な開閉手段として使用することができる。
【００１６】
さらに、請求項２に係る発明によれば、上記開閉装置のラッチアームの長さ方向を回動側戸パネルの幅方向に向け、且つ、ラッチアームの先端が回動側戸パネルの横幅方向の中央部に位置するように回動側戸パネル側又は戸枠側に装着しているので、ラッチアームを起立させて回動側戸パネルを押し開かせると、この回動側戸パネルと移動側戸パネルとがヒンジによって折り畳み自在に連結している連結部分が戸枠に対してラッチアームの先端の起立移動距離よりも大きく離間させることができ、その離間による開放度がラッチアームの先端位置が回動側戸パネルの回動支軸側に近づけば近づく程、大きくすることができる。
【００１７】
従って、ラッチアームを起立させて折り戸を手前側に屈折させたのち、移動側戸パネルの外側端面等を回動側戸パネル側に向かって押圧することにより、折り戸を簡単に大きく開放させることができる。
【００１８】
また、請求項３に係る発明によれば、開閉装置の取付基板の一半部上に互いに平行な両側壁板を立設してこれらの両側壁板間内にロック機構を設けていると共に両側壁板の一端部間にラッチアームの基端部を支軸によって回動自在に枢着しているので、この開閉装置を配設したい面に取付基板を当てがってビス止め等を施すことにより、該開閉装置を簡単に所定位置に装着することができるばかりでなく、既設の折り戸に対してもこの開閉装置を装着することができて、上記のような円滑な開閉操作が可能な折り戸に改良することができる。
【００１９】
さらに、上記ラッチアームの先端に転子を回転自在に装着しているので、折り戸の開閉時にこの転子を当接面上で回転させながらラッチアームを該転子の当接面に対して相対移動させて軽快な開閉操作を可能にすることができると共に、ラッチアームの先端部と上記取付基板の他半部との間にラッチアームを起立させる方向に弾圧しているコイルスプリングを取り付けているので、ラッチアームをこのスプリング力によって円滑に起立させることができると共に伏動時には該コイルスプリングを容易に圧縮させることができる。
【００２０】
請求項４に係る発明によれば、上記開閉装置を戸枠の上枠部と対向した回動側戸パネルの裏面上端部における幅方向の中央部に装着している一方、上記戸枠の上枠部の一側部における背面側下面に開閉装置のラッチアームの先端を受止する幕板部材を取り付けているので、折り戸の開閉時には開閉装置のラッチアームを戸枠の上枠部背面に取り付けている幕板部材の所定部分に押し付けることができて、確実且つ円滑な開閉操作が可能となるものであり、さらに、折り戸を開閉しても開閉装置は外部に露呈することなく体裁のよい外観を呈することができる。
【図面の簡単な説明】
【００２１】
【図１】開放直後の状態を示す折り戸の簡略斜視図。
【図２】その平面図。
【図３】閉じた状態の折り戸の平面図。
【図４】その一部を断面した側面図。
【図５】折り戸における開閉装置部分を表面側から見た斜視図。
【図６】折り戸における開閉装置部分を裏面側から見た斜視図。
【図７】開閉装置の簡略斜視図。
【図８】その内部機構を下面側から見た底面図。
【図９】ラッチアームをロックした状態の縦断側面図。
【図１０】ラッチアームのロックを解除した状態の縦断側面図。
【図１１】戸枠内に折り戸を二組、配設した状態の簡略斜視図。
【図１２】転子としてボールを装着している開閉装置の簡略斜視図。
【発明を実施するための形態】
【００２２】
本発明の実施の形態を図面について説明すると、折り戸Ａは、戸枠１の一側端部にその外側端部を回動自在に枢着している回動側戸パネル２と、この回動側戸パネル２の内側端部に、この内側端部と対向する内側端部をヒンジ４、４によって折り畳み自在に連結してなる移動側戸パネル３とからなり、この折り戸Ａにおける上記回動側戸パネル２の上端部裏面に折り戸開閉装置10を装着している。
【００２３】
上記戸枠１は、上下枠部1a、1bの一側端部間と他側端部間とをそれぞれ縦枠部1c、1dによって連結することにより矩形状の枠に形成されてあり、この戸枠１を押入れ等の開口端に取り付けることにより、この枠で囲まれた空間部を押入れ等の開口部に形成し、この開口部を折り戸Ａによって開閉するように構成している。
【００２４】
折り戸Ａを構成している上記回動側戸パネル２と移動側戸パネル３とは、上記戸枠１の開口部を左右に二分割した縦長長方形状に形成されてあり、回動側戸パネル２は外側端部となる一側端部における上下端を戸枠１の上下枠部1a、1bの一側端部の対向面にそれぞれ支軸５、５によって回動可能に枢着されてあり、この上下支軸５、５を支点として前方に向かって起伏自在に構成されている一方、移動側戸パネル３はその一側端部を内側端部として該内側端部を回動側戸パネル２の内側端部にヒンジ４、４によって戸枠１から前方に向かって折り畳み自在に連結していると共に、その他側端部である外側端部における上下端に、戸枠１の上下枠部1a、1bの対向面に敷設しているレール6a、6bに嵌入した上下ランナー7a、7bを回動自在に軸支して、これらの上下ランナー7a、7bを上下レール6a、6b内に沿って戸枠１の横幅方向に移動させることにより、折り戸Ａを開閉させるように構成している。
【００２５】
折り戸Ａの開閉装置10は、上記回動側戸パネル２の裏面上端部の幅方向の中央部における外側端寄り部分に装着されている一方、上記戸枠１の上枠部1aの一側部における背面側下面に、この開閉装置10における後述するラッチアーム11の先端に取り付けたコロからなる転子12を受止する断面Ｌ字状の幕板部材30を固着している。具体的には、この幕板部材30の上部は一定長さを有する水平板部30a に形成されていてその上面を戸枠１の上枠部1aの一側部における背面側下面に固着していると共に水平板部30a の後端から下方に突設している垂直板部30b の垂直な前面を開閉装置10の後方に対向させてあり、この前面に上記ラッチアーム11の先端転子12を受止して転動させる水平ガイド溝31を全長に亘って形成している。
【００２６】
この開閉装置10は図７〜図10に示すように、平面横長長方形状の取付基板10a の一半部上に、この取付基板10a の幅方向に一定の間隔を存して互いに平行な一定高さを有する横長長方形状の両側壁板13、13を立設して、この両側壁板13、13の一端部対向面に基端軸14の両端部を支持して両側壁板13、13間の一端部内に該基端部14を固定してあり、この基端部14に両側壁板13、13の長さの略２倍の長さを有する断面下向きコ字状に形成した上記ラッチアーム11の基端部を起伏、回動自在に枢着、支持していると共に、両側壁板13、13間の空間部内にこのラッチアーム11を取付基板10a に対して平行に伏した状態でロックするロック機構を設けている。さらに、ラッチアーム11の先端部と上記取付基板10a の他半部との対向面間に、ラッチアーム11を起立させる方向に弾圧しているコイルスプリング15を圧縮状態で介在させている。
【００２７】
ラッチアーム11のロック機構は、先端に下向きの係止フック16a を形成している作動板16と、この作動板16を、その基端側を支点として先端側を一側壁板13側に向かって常時付勢しているコイルスプリングからなるスプリング17と、この作動板16の先端部上方に対向するラッチアーム11の長さ方向の中央部における一方の側壁下端面から他方の側壁に向かって突設して作動板16の上記係止フック16a に係脱する係止爪片18とを備えている。
【００２８】
さらに、上記作動板16の長さ方向の両端部、即ち、基端部と先端部とに長さ方向に長い長孔19、20を設けていると共に基端側（一端側）の長孔を第１長孔19としてこの第１長孔19の一端部には下方に向かって軸係止凹部19a を設けていると共に、上記両側壁板13、13の一端部対向面に作動板16の基端側の上記第１長孔19に挿通している第１支軸21の両端部を、他端部対向面に作動板16の先端側の上記長孔20（以下、第２長孔20とする）に挿通している第２支軸22の両端部をそれぞれ支持、固定している。
【００２９】
また、上記ラッチアーム11の基端部を回動自在に支持している上記基端軸14は、作動板16の基端側の長孔19に挿通している第１支軸21よりも両側壁板13、13の一端側に向かって一定間隔を存した位置に配設されてあり、この基端軸14に回動自在に支持されたラッチアーム11の基端部には下方に向かって突片11a が突設されていて、この突片11a の下端に固着した軸11b と上記作動板16の先端部下端に形成している係止片16b 間に該作動板16の他側面に沿って上記スプリング17を張設してこのスプリング17の両端を突片11a の軸11b と係止片16b に係止させ、該スプリング17の引張力によって作動板16をその基端部に対して先端側を上述したように一側壁板13側に向かって常時付勢している。
【００３０】
ラッチアーム11の長さ方向の中央部における一方の側壁下端面からに他方の側壁に向かって突設している上記係止爪片18は、上記作動板16の先端部上方において図７に示すようにこの作動板16を直交する方向に向けられてあり、その下端面を突出端に向かって上方に緩やかな凸円弧状に傾斜した下傾斜端面18a に形成していると共に上端面を作動板16の上記係止フック16a に係脱する上端係止面18b に形成している。さらに、作動板16の基端面における下半部を下端から上端に行くに従ってラッチアーム11の突片11a 側に突出する傾斜カム面16c に形成してあり、ラッチアーム11が起立した状態においては、ラッチアーム11の基端部の突片11a に固着している軸11b をこの傾斜カム面16c に押当させて作動板16の基端側を先端側に対して上方に押し上げて作動板16の基端部に設けている第１長孔19の係止凹部19a に第１支軸21を係止させると共に作動板16の先端部に設けている第２長孔20内の基端部（一端部）に第２支軸22を位置させている。
【００３１】
このように構成した折り戸開閉装置10を、図１、図５、図６等に示すように、折り戸Ａにおける上記回動側戸パネル２の裏面上端部において、そのラッチアーム11の長さ方向を回動側戸パネル２の幅方向に向け、且つ、ラッチアーム11の先端転子12が回動側戸パネル２の横幅方向の中央部に位置するように配した状態にして、その取付基板10a を回動側戸パネル２の裏面上端部の幅方向の中央部における外側端寄り部分にビス等によって固定する。
【００３２】
折り戸Ａの回動側戸パネル２と移動側戸パネル３とが図３に示すように面一状に展開して戸枠１の開口部を閉止している状態においては、折り戸開閉装置10のラッチアーム11は回動側戸パネル２の背面と幕板部材30とによって挟圧されてコイルスプリング15を圧縮させた状態で伏倒している。
【００３３】
この状態においては図９に示すように、ラッチアーム11は、その長さ方向の中央部に突設している係止爪片18の係止面18b を作動板16の先端に設けている上記係止フック16a に係止させてあり、上記コイルスプリング15の復元力を係止爪片18を係止させた係止フック16a を介して作動板16の第２長孔20に挿通している第２支軸22に受止させてラッチアーム11の先端転子12に作用させることなくロック状態を維持している。
【００３４】
さらに、ラッチアーム11の基端に突設している突片11a はラッチアーム11の伏動により基端軸14を中心として回動して作動板16の傾斜カム面16c から離間してあり、この離間によってスプリング17を引っ張って作動板16を引き寄せてこの作動板16の係止フック16a の内端面をラッチアーム11の係止爪片18の外端面に係止させている。
【００３５】
上記のようにロックされた状態から回動側戸パネル２の表面を手等によって押圧して回動側戸パネル２を支軸５を中心として後方に向かって回動させると、幕板部材30の表面のガイド溝31に当接しているラッチアーム11の先端転子12が、このガイド溝31に押しつけられてラッチアーム11がさらに伏する方向に回動し、その係止爪片18が作動板16の係止フック16a から離脱して作動板16の係止フック16a との係止、即ち、ロックが解除される。なお、この時の回動側戸パネル２の後方に向かっての移動量は、ラッチアーム11の係止爪片18を作動板16の係止フック16a から外すだけの極く僅かな量である。
【００３６】
ラッチアーム11の係止爪片18と作動板16の係止フック16a との係止が解かれると、作動板16はスプリング17の引張力によってラッチアーム11の基端側に向かって瞬時に後退してその係止フック16a をラッチアーム11の係止爪片18から離間させ、ラッチアーム11はコイルスプリング15の復元力によってその係止爪片18を作動板16の係止フック16a の先端面に沿って起立、回動すると同時に上記作動板16は後退によってその基端面に形成している傾斜カム面16c をラッチアーム11の基端の突片11a に固定している軸11b に当接、受止させると共に、ラッチアーム11の起立によって作動板16の傾斜カム面16c に当接している上記軸11b が作動板16を押し進めながらその傾斜カム面16c を介して作動板16の基端部を第２支軸22を支点としてラッチアーム11の押し上げ、図10に示すように第１長孔19に挿通している第１支軸21をこの第１長孔19の基端に設けている係止凹部19a に係止させると共に第２支軸22を第２長孔20の基端に当接させてラッチアーム11のそれ以上の起立を阻止する。  
【００３７】
このように、折り戸開閉装置10におけるラッチアーム11の係止爪片18と作動板16の係止フック16a との係止が解かれてラッチアーム11がコイルスプリング15の復元力によって起立方向に回動すると、戸枠１の上枠部1aに固着している上記幕板部材30に押接した該ラッチアーム11の先端転子12を支点として回動側戸パネル２の裏面上端部に取り付けている折り戸開閉装置10の取付基板10a が前方に向かって押し進められ、回動側戸パネル２は支軸５を中心として前方に向かった回動すると共に、ヒンジ４を介して連結している移動側戸パネル３はその外側端部の上下に取り付けているランナー7a、7bを戸枠１の上下レール6a、6bをガイドとして移動し、ヒンジ４、４を介して回動側戸パネル２と移動側戸パネル３とは前方に向かって互いに屈折する。
【００３８】
この際、折り戸開閉装置10の配設位置が回動側戸パネル２を回動自在に枢着している戸枠１の一端部側に近づく程、回動側戸パネル２と移動側戸パネル３との屈折度、即ち、折り戸Ａの開き度が大きくなるが、一定の弾発力を有するコイルスプリング15を使用した場合、折り戸開閉装置10の配設位置を戸枠１の一端部側に余り近づけると、回動側戸パネル２の回動が重くなり、ヒンジ４側に余り近づけると、開き度が小さくなるので、折り戸開閉装置10をそのラッチアーム11の先端が回動側戸パネル２の横幅方向の中央部に位置するように取り付けておくことが望ましく、このように構成しておくことによって、折り戸開閉装置10を開放方向に作動させると、戸枠１からのヒンジ４、４の間隔をラッチアーム11の先端転子12と取付基板10a との間の間隔の略２倍の間隔にすることができ、この状態にしたのち、移動側戸パネル３を手でもって回動側戸パネル２側に向かって移動させることにより、回動側戸パネル２と移動側戸パネル３とを互いに大きく屈折させて折り戸Ａを開口させる。
【００３９】
なお、ラッチアーム11の先端転子12は折り戸Ａの開放開始時には、回動側戸パネル２の開きに伴って幕板部材30のガイド溝31上をコイルスプリング15の押圧力でもって該ガイド溝31に押し付けられながら水平方向に転動するので、幕板部材30との摩擦抵抗が軽減されて円滑に開放することができる。
【００４０】
次に、折り戸Ａを開放した状態から、該折り戸Ａの表面を押圧して移動側戸パネル３を戸枠１の他端側に向かって移動させることにより折り戸Ａを閉じる方向に作動させると、折り戸Ａが閉止する直前に回動側戸パネル２の上端部裏面に装着している折り戸開閉装置Ａにおけるラッチアーム11の先端転子12が戸枠１の上枠部1aに取り付けている幕板部材30のガイド溝31の溝底に当接し、この状態からさらに回動側戸パネル２を後方に向かって押圧して折り戸Ａを閉止させていくと、ラッチアーム11がコイルスプリング15の力に抗して伏動して作動板16の傾斜カム面16c に押当していたその基端の突片11a に固定している軸11b が傾斜カム面16c から離間して該軸11b と作動板16の先端間に張設しているスプリング17を引っ張ることにより、作動板16を後退する方向に付勢する。この際、作動板16はその基端部に設けている第１長孔19の係止凹部19a に第１支軸21を係止させているので、上記スプリング17の張力にもかかわらず、後退することはない。
【００４１】
さらに、上記ラッチアーム11の伏動によって該ラッチアーム11の先端に設けている係止爪片18の凸円弧状に湾曲した傾斜面18a が作動板16の先端部上に当接したのち、ラッチアーム11がさらに伏動するに従って該係止爪片18の傾斜面8aによって作動板16を上記スプリング17の付勢力に抗して第１支軸21を支点としてその先端側を他側方に移動させ、該係止爪片18の突出端を作動板16の先端部一側面に摺接させながら作動板16の係止フック16a に達し、該係止フック16a から係止爪片18の突出端がラッチアーム11の伏動に従って僅かに離れた位置まで移動して折り戸Ａが完全に閉止した位置に達した瞬間に、上記スプリング17によって作動板16が上記第１支軸21を支点として先端側が一側方に移動して係止爪片18と係止フック16a とが係止するように対向し、この状態から戸枠１に対する押圧力を解くと、ラッチアーム11がコイルスプリング15の力によって押圧されて僅かに起立する方向に回動し、その係止爪片18を作動板16の先端係止フック16a に係止させる。
【００４２】
この際、コイルスプリング15の力によって係止フック16a が係止爪片18を介して持ち上げられる方向に押圧され、作動板16がその先端部の第２長孔20に挿通している第２支軸22を支点として基端側が取付基板10a 側に向かって僅かに回動してその基端側に設けている第１長孔19の係止凹部19a からこの係止凹部19a に係止していた第１支軸21を離脱させ、ラッチアーム11の基端の上記軸軸11b と作動板16の先端間に張設しているスプリング17の引張力を作動板16に作用させて該作動板16を引き寄せることにより係止フック16a と係止フック16a とを係止させた状態にロックさせる。
【００４３】
なお、以上の実施例においては、折り戸開閉装置10を回動側戸パネル２の裏面における上端部に装着しているが、下端部に装着しておいてもよく、また、この回動側戸パネル２に装着することなく、回動側戸パネル２の裏面と対向する戸枠１の上枠部又は下枠部に装着しておいてもよい。さらに、折り戸開閉装置10を回動側戸パネル２の裏面にそのラッチアーム11を上下方向に向けた状態で取り付けておいてもよい。
【００４４】
また、ラッチアーム11の先端に装着している転子12を軸回りに回転するコロから構成しているが、図12に示すように、ラッチアーム11の先端部上面に回転自在に装着したボールから構成しておいてもよく、このように、いずれの方向にも転動するボールから転子12を構成しておくと、上記のように折り戸開閉装置10を回動側戸パネル２の裏面にそのラッチアーム11を上下方向に向けた状態で取り付けておいても、コロのように回転不能となったりその周端縁が当接面に引っかかるような不都合が生じることなく、円滑に回転して軽快な開閉操作を可能にすることができる。さらに、戸枠１に一組の折り戸Ａを設けているが、図11に示すように二組の折り戸Ａ、Ａを左右対称的に配設しておいてもよい。また、ラッチアーム11の転子12を受止する幕板部材30を戸枠１の上枠部1aの全長（全幅）に亘って設けておいてもよい。その他の構成については上記実施例と同じであるので、同一部分には同一符号を付して詳細な説明を省略する。
【符号の説明】
【００４５】
Ａ  折り戸
１  戸枠
２  回動側戸パネル
３  移動側戸パネル
４  ヒンジ
５  支軸
6a、6b  上下レール
7a、7b  ランナー
10  折り戸開閉装置
11  ラッチアーム
12  転子
13、13  両側壁板
14  基端軸
15  コイルスプリング
16  作動板
16a 係止フック
17  スプリング
18  係止爪片
30  幕板部材
31  ガイド溝
【図１】
2011162994.tif 000003
【図２】
2011162994.tif 000004
【図３】
2011162994.tif 000005
【図４】
2011162994.tif 000006
【図５】
2011162994.tif 000007
【図６】
2011162994.tif 000008
【図７】
2011162994.tif 000009
【図８】
2011162994.tif 000010
【図９】
2011162994.tif 000011
【図１０】
2011162994.tif 000012
【図１１】
2011162994.tif 000013
【図１２】
2011162994.tif 000014